(57)【要約】【課題】ホース２２の内面全体をニップル１８の外面に均一の力で押しつけて、引き抜き力に強い構造にする。【解決手段】ニップル１８は、一端が継ぎ手本体１４に接続され、その他端を包囲するようにホース２２の先端部２４が配置されている。ホース２２の先端部２４の周囲を取り巻くように密着して配置された複数の楔片３０と、締め付けナット２６とを備える。楔片３０は、楔状の傾斜面を有する。締め付けナット２６は、テーパスリーブ３２を押し、楔片３０の傾斜面を上記ホース２２に向かう方法に押しつける。複数の楔片３０はホース２２の先端部２４の周囲を環状に等間隔に取り巻くように連結されている。ワイヤー４６の部分が縮むので、全ての楔片３０がホースの先端部２４を均一に押しつぶすように、環の内径を縮める。【選択図】図１
2015068411.tif 000002
【特許請求の範囲】
【請求項１】
一端が継ぎ手本体に差し込まれ、他端を包囲するようにホースの先端部が配置されているニップルと、
上記ホースの先端部の周囲を取り巻くように密着して配置された複数の楔片と、
上記継ぎ手本体に設けられた雄ねじ部と噛み合う雌ねじ部を備えた締め付けナットとが設けられ、
上記楔片は、上記ニップルの一端から他端に向かう方向に次第に厚みを減少させる楔状の傾斜面を有し、
上記継ぎ手本体の雄ねじ部と上記締め付けナットの雌ねじ部とを噛み合わせて上記締め付けナットと上記継ぎ手本体とを次第に近づける過程で、上記楔片の傾斜面を上記ホースに向かう方法に押しつけるテーパスリーブを有し、かつ、
上記複数の楔片が上記ホースの先端部の周囲を環状に等間隔に取り巻くように連結し、全ての楔片が上記ホースのニップルに密着した面を均一に押圧してホースの先端部を押しつぶすように上記環の内径を縮める連結体を有することを特徴とする高耐圧管継ぎ手。
【請求項２】
上記楔片は、連結孔に柔軟なもしくは伸縮性の連結体を通して連結されていることを特徴とする請求項１に記載の高耐圧管継ぎ手。
【請求項３】
上記テーパ部は上記締め付けナットと一体化されていることを特徴とする請求項１に記載の高耐圧管継ぎ手。
【請求項４】
ある楔片とそれに隣接する楔片とが、その長手方向に見たとき一端側に配置された連結体により連結されているとき、さらにその隣に隣接する楔片とは、その長手方向に見たとき他端側に配置された連結体により連結されていることを特徴とする請求項１に記載の高耐圧管継ぎ手。
【請求項５】
隣接する楔片を連結する連結体が、それぞれ楔片の長手方向に見て異なる位置で楔片に固定されていることを特徴とする請求項１に記載の高耐圧管継ぎ手。
【請求項６】
隣接する楔片が互いにその間隔を伸縮することができる連結構造を備えていることを特徴とする請求項１に記載の高耐圧管継ぎ手。
【請求項７】
ニップルの凹凸面を取り囲むいずれかの位置に、楔片を揺動させる支点が設られ、管継ぎ手組み立て前の全ての楔片の姿勢を、その最も厚みの薄い側の先端を持ち上げて拡開した状態に揃える部材を設けたことを特徴とする請求項１に記載の高耐圧管継ぎ手。
【発明の詳細な説明】
【技術分野】
【０００１】
本発明は、耐圧性のホース端部に取り付けたニップルとホースとの密着性を高めて、高い内圧に耐える構造の高耐圧管継ぎ手に関する。
【背景技術】
【０００２】
耐圧性の管継ぎ手として、補強された耐圧ホースの端部にニップルを接続して、複数のバンドで締め付け固定するものが知られている（特許文献１）。また、耐圧ホースの端部にスプリングを巻いてナット（スリーブ）で締め付ける構造のものも知られている（特許文献２）。さらに、締め付けナットの内面にねじを切るような構造のものも知られている（特許文献３）。
【先行技術文献】
【特許文献】
【０００３】
【特許文献１】特開平９−２３６１９１号公報
【特許文献２】特開平９−３２９２８３号公報
【特許文献３】特開２００３−２６２２９２号公報
【発明の概要】
【発明が解決しようとする課題】
【０００４】
既知の従来の技術には、次のような解決すべき課題があった。
材質や構造を改良して耐圧や耐熱性を高めたホースを接続するための管継ぎ手には、上記の特許文献にあるように、ニップルとホースとの密着性を高めて、ホースの内圧に耐える構造が要求される。
素材がゴムやプラスチック製のホースをニップルにバンドで縛り付けていると、期間の経過とともにクリープ現象によりバンドの締め付け力がホースに有効に伝わらなくなる。スプリング等の弾性体バンドを使用すれば、圧力をある程度保持できるが、内圧に負けて弾性体バンドが伸びてしまうので、高耐圧特性は得られない。熱伸縮を考慮すると耐熱性を要求することはもっと難しい。
また、ホース端部の数カ所をバンドで締め付ける方法も可能であるが、バンドで締め付けた場所に線状に応力が集中するため、その部分がホースの強度上の弱点になる可能性もある。
上記の課題を解決するために、本発明は次のような高耐圧管継ぎ手を提供することを目的とする。
（１）ホースの内面全体をニップルの外面にできるだけ均一の力で押しつけて、密着を確保して、引き抜き力に強い構造にする。
（２）種々の外形のホースに対して同一の設計で対応できる部品を使用する。
【課題を解決するための手段】
【０００５】
以下の構成はそれぞれ上記の課題を解決するための手段である。
【０００６】
＜構成１＞
一端が継ぎ手本体に差し込まれ、他端を包囲するようにホースの先端部が配置されているニップルと、
上記ホースの先端部の周囲を取り巻くように密着して配置された複数の楔片と、
上記継ぎ手本体に設けられた雄ねじ部と噛み合う雌ねじ部を備えた締め付けナットとが設けられ、
上記楔片は、上記ニップルの一端から他端に向かう方向に次第に厚みを減少させる楔状の傾斜面を有し、
上記継ぎ手本体の雄ねじ部と上記締め付けナットの雌ねじ部とを噛み合わせて上記締め付けナットと上記継ぎ手本体とを次第に近づける過程で、上記楔片の傾斜面を上記ホースに向かう方法に押しつけるテーパスリーブを有し、かつ、
上記複数の楔片が上記ホースの先端部の周囲を環状に等間隔に取り巻くように連結し、全ての楔片が上記ホースのニップルに密着した面を均一に押圧してホースの先端部を押しつぶすように上記環の内径を縮める連結体を有することを特徴とする高耐圧管継ぎ手。
【０００７】
＜構成２＞
上記楔片は、連結孔に柔軟なもしくは伸縮性の連結体を通して連結されていることを特徴とする構成１に記載の高耐圧管継ぎ手。
【０００８】
＜構成３＞
上記テーパ部は上記締め付けナットと一体化されていることを特徴とする構成１に記載の高耐圧管継ぎ手。
【０００９】
＜構成４＞
ある楔片とそれに隣接する楔片とが、その長手方向に見たとき一端側に配置された連結体により連結されているとき、さらにその隣に隣接する楔片とは、その長手方向に見たとき他端側に配置された連結体により連結されていることを特徴とする構成１に記載の高耐圧管継ぎ手。
【００１０】
＜構成５＞
隣接する楔片を連結する連結体が、それぞれ楔片の長手方向に見て異なる位置で楔片に固定されていることを特徴とする構成１に記載の高耐圧管継ぎ手。
【００１１】
＜構成６＞
隣接する楔片が互いにその間隔を伸縮することができる連結構造を備えていることを特徴とする構成１に記載の高耐圧管継ぎ手。
【００１２】
＜構成７＞
ニップルの凹凸面を取り囲むいずれかの位置に、楔片を揺動させる支点が設られ、管継ぎ手組み立て前の全ての楔片の姿勢を、その最も厚みの薄い側の先端を持ち上げて拡開した状態に揃える部材を設けたことを特徴とする構成１に記載の高耐圧管継ぎ手。
【発明の効果】
【００１３】
＜構成１の効果＞
上記ホースの先端部の周囲を取り巻くように複数の楔片を使用する。楔辺は、連結体が環の内径を縮めるように変形するので、ホースに全体を平均に押しつける。従って、ホースの先端部は、全体が均一にニップルに押しつけられ、耐圧及び耐熱性が向上する。楔片の数を増減すれば、任意の外形のものに適用できる。
＜構成２の効果＞
柔軟な連結体を使用して連結すれば、自由に環の内径を縮めることができる。
＜構成３の効果＞
テーパ部と締め付けナットとを一体化すれば、部品点数が減少して組み立ても容易になる。
＜構成４の効果＞
交互に別々の場所で連結されていると、連結されていない部分の間隔が簡単に縮むため、環の内径を縮めることができる。
＜構成５の効果＞
連結体が、それぞれ楔片の長手方向に見て異なる位置で楔片に固定されていると、楔片の間隔を伸縮するのに連結体が邪魔にならない。
＜構成６の効果＞
時計のバンドのように、各楔片が連結されていれば、上記の目的を達成できる。
＜構成７の効果＞
感継ぎ手組み立て前に、全ての楔片を、最も厚みの薄い側の先端を持ち上げて拡開した状態に揃える部材を設けたので、ニップルにホースの端部を簡単にはめ込んで、楔片で取り囲むことができる。
【図面の簡単な説明】
【００１４】
【図１】実施例１の高耐圧管継ぎ手を示し、（ａ）は組み立て前、（ｂ）と（ｃ）は組み立て後の状態を示す主要部断面図である。
【図２】（ａ）は楔片３０の一例を示す斜視図、（ｂ）は楔片３０をワイヤー４６で連結した状態を示す展開図、（ｃ）はホース２２を楔片３０で押しつぶす前後の状態を示す横断面図、（ｄ）はニップル１８の側面図である。
【図３】高耐圧管継ぎ手の各部の変形例を示し、（ａ）は締め付けナット２６の部分縦断面図、（ｂ）と（ｃ）は楔片３０の側面図、（ｄ）は楔片３０を連結した状態を示す部分展開図である。
【図４】本発明の高耐圧管継ぎ手の効果を説明するもので、（ａ）は本発明の高耐圧管継ぎ手の主要部側面図、（ｂ）は比較例の楔片の主要部展開図、（ｃ）はこの比較例を使用した管継ぎ手の主要部側面図である。
【図５】楔片と連結体の変形例で、（ａ）（ｂ）（ｃ）はいずれもその展開図である。
【図６】楔片と連結体のさらに別の変形例で、（ａ）と（ｂ）は楔片の一例を示す側面図、（ｃ）と（ｄ）はその連結組み立て過程を示す展開図である。
【図７】楔片と連結体のさらに別の変形例である。
【図８】実施例６の楔片の例を示し、（ａ）は斜視図、（ｂ）は全体の概略断面図である。
【図９】実施例６の楔片３０を使用した場合の高耐圧管継ぎ手１２の組み立て方法説明図である。
【発明を実施するための形態】
【００１５】
以下、本発明の実施の形態を実施例毎に詳細に説明する。
【実施例１】
【００１６】
図１は実施例１の高耐圧管継ぎ手１２を示し、（ａ）は組み立て前、（ｂ）と（ｃ）は組み立て後の状態を示す主要部断面図である。
この高耐圧管継ぎ手１２はホース２２を図示しない設備に接続するためのものである。この実施例において、高耐圧管継ぎ手１２は、継ぎ手本体１４とニップル１８と締め付けナット２６を備えている。
【００１７】
ニップル１８の一端は、継ぎ手本体１４に差し込まれて接続されている。継ぎ手本体１４の内壁とニップル１８の一端の間はオーリング３８（図１（ａ））によってシールされている。なお、継ぎ手本体１４とニップル１８とは一体のものでも構わないホース２２の先端部２４はニップル１８の他端全体を包囲するように配置されている。ニップル１８の外周には凹凸面２０が設けられている。
【００１８】
継ぎ手本体１４には雄ねじ部１６が設けられている。締め付けナット２６の内面に設けられた雌ねじ部２８は、雄ねじ部１６とかみ合っている。（ａ）の状態で締め付けナット２６を時計回りに回転させると、（ｂ）の矢印Ａ方向に締め付けナット２６が移動して、継ぎ手本体１４に次第に近づく。
【００１９】
ホース２２の先端部２４の周囲を取り巻くように、複数の楔片３０が密着して配置されている。これらの楔片３０は、ニップル１８の一端から他端に向かう方向に次第に厚みを減少させる楔状の傾斜面を有している。ホース２２の内圧による抜け止めのための機構である。
【００２０】
締め付けナット２６を時計回りに回転させて、（ｂ）の矢印Ａ方向に締め付けナット２６が移動すると、締め付けナット２６がテーパスリーブ３２を矢印Ａ方向に押す。テーパスリーブ３２は、その内周面に、ニップル１８の一端から他端に向かう方向に次第に内径を減少させるテーパ面を備える。
【００２１】
従って、締め付けナット２６が継ぎ手本体１４に次第に近づく過程で、楔片３０の傾斜面を矢印Ｂ方向に押しつける力が働く。複数の楔片３０は、（ｃ）に示すように、ホース２２の先端部２４の周囲を環状に等間隔に取り巻くように連結されている。この発明では、全ての楔片３０がホース２２の先端部２４に密着した面を均一に押圧してホース２２の先端部２４を押しつぶすようにする。
【００２２】
（ｃ）に示すワイヤー４６は、複数の楔片３０を連結して環状に等間隔に配置するためのものである。このワイヤー４６は、ホース２２の圧縮に伴って、環の内径を縮めることができる、例えば、柔軟な構造のものとされている。即ち、楔辺３０の連結体（ここではワイヤー４６）が、環の内径を縮めるように変形するので、ホース２２に楔辺３０の一部でなく全体を平均に押しつけることができる。
【００２３】
ホース２２の先端部２４がその長手方向にみて一点とか数点でなく、全体に均一にニップル１８に押しつけられるので、ホース２２に引き抜き力が加わったとき、楔辺３０がホース２２の先端部２４を平均に押さえつけて引き抜き力に耐え、ホース２２への応力の集中を防ぐ。
【００２４】
図２（ａ）は楔片３０の一例を示す斜視図、（ｂ）は楔片３０をワイヤー４６で連結した状態を示す展開図である。（ｃ）はホース２２を楔片３０で押しつぶす前後の状態を示す横断面図、（ｄ）はニップル１８の側面図である。
図２（ａ）に示すように、楔片３０は、例えば、金属や硬質プラスチックにより構成されており、全体として楔状をしている。
【００２５】
図２（ａ）において、矢印Ａの方向にテーパスリーブ３２（図１）が移動すると、傾斜面３１が上から下の方向（矢印Ｂの方向）に押される。図２（ｂ）に示すように、楔片３０は例えば、ゴムやナイロン等の柔軟なワイヤー４６により等間隔に連結されている。一点鎖線に示すように、ワイヤー４６の両端が連結されて環状になる。
【００２６】
図２（ｃ）は（ｂ）に示すようなワイヤー４６で環状に連結された楔片３０を、ワイヤー４６側からみた高耐圧管継ぎ手１２の横断面図である。（ｃ）の左側の図は、ニップル１８にホース２２を被せてその外側を取り巻くように楔片３０を配置した状態を示す。この状態で、テーパスリーブ３２（図１）により力が加わると、ホース２２が圧縮されて潰れて、（ｃ）の右側に示すような状態になる。
【００２７】
図２（ｄ）は、ニップル１８の側面図である。ニップル１８には、ホース２２の内面との接触面積を大きくし、引き抜き力に耐えるように、凹凸面２０が設けられている。ゴムやプラスチック製の耐圧ホース２２には補強用の繊維やワイヤーが編み込まれている。これを凹凸面２０の左側の凹部２１にかしめて固定する。そして、楔片３０を使用して、凹凸面２０の上にホース２２を押しつける。このとき、ホース２２を凹凸面２０に対して均一の圧力で押しつけると、両者の間の摩擦力が最大になる。
【００２８】
ホース２２の内圧による引き抜き力が加わると、楔片３０に引き抜き力が伝わる。このとき楔片３０がテーパスリーブ３２（図１）に押しつけられる反作用で、楔片３０が凹凸面２０の上にホース２２を押しつける力が増大する。この力も、楔片３０とホース２２との接触面全面に均一に加わるから、強力に引き抜き力に耐えることができる。
【実施例２】
【００２９】
図３は、高耐圧管継ぎ手の各部の変形例を示し、（ａ）は締め付けナット２６の部分縦断面図、（ｂ）と（ｃ）は楔片３０の側面図、（ｄ）は楔片３０を連結した状態を示す部分展開図である。
図３（ａ）に示す例は、締め付けナット２６に対して、テーパスリーブ３２に相当するテーパ部４４を設けて、テーパスリーブ３２と締め付けナット２６とを一体化したものである。これは、部品点数が減少して組み立ても容易になるという効果がある。
【００３０】
図３（ｂ）に示す例は、楔片３０に切り欠き状の連結孔４０を設けたものである。例えば、ゴム製のオーリングのような弾性体リングを連結体として使用するとき、複数の楔片３０を連結体に取り付けるための組み立てが容易になる。また、（ｃ）に示す例は、楔片３０に縦長孔４８を設けてワイヤー４６を通している。ワイヤー４６が柔軟でなくても、楔片３０がホース２２を押す方向に自由に移動できるよう支持することができる。
【００３１】
（ｄ）の例は、楔片３０を接着テープ５０を使用して連結したものである。楔片３０を接着テープ５０に固定するには任意の接着剤を使用するとよい。接着テープ５０は柔軟なため、楔片３０は自由にホース２２を押す方向に移動できる。
【００３２】
図４は、本発明の高耐圧管継ぎ手１２の効果を説明するもので、（ａ）は本発明の高耐圧管継ぎ手１２の主要部側面図、（ｂ）は比較例の楔片の主要部展開図、（ｃ）はこの比較例を使用した管継ぎ手の主要部側面図である。
図４（ａ）に示すように、テーパスリーブ３２が矢印Ａ方向に移動すると、楔片３０はホース２２を矢印Ｂ方向に押す。このとき、本発明では、楔片３０はその長手方向に見て、どの部分も均一にホース２２を加圧する。
【００３３】
一方、比較例として、（ｂ）に示すように、複数の楔片３０の一端をそのまま固い材料で連結したものを用意した。この例では、各楔片３０の最も厚みのある部分が切り離されない状態で連結されている。これにテーパスリーブ３２を使用して圧力を加えると、楔片３０の連結部５２は内径を縮小しないので、楔片３０の最も薄い部分だけが矢印Ｄのようにホース２２を押す。従って、図４（ｃ）の一点鎖線の円の部分に応力が集中する。このため、図４（ａ）のものに比べて引き抜き力に対する耐久力が小さくなる。さらに、ホース２２の一部に強い応力が加わるので、ホース２２が破断し易くなる。
【００３４】
具体的には、内径４０ｍｍで厚みが５ｍｍの、補強線入り耐圧ホースを、幅４ｍｍ長さ３０ｍｍの楔片２４枚で押さえたところ、３メガパスカルの水圧に耐える高耐圧管継ぎ手１２を実現できた。
一方、図４（ｃ）に示した構造のものは、内圧１メガパスカルの水圧で漏水が生じた。
【実施例３】
【００３５】
図５は楔片３０と連結体の変形例で、（ａ）（ｂ）（ｃ）はいずれもその展開図である。
図５（ａ）は、楔片３０を曲がりピン５４で連結した構造のものである。楔片３０の連結孔４０（図２（ａ））に柔軟なもしくは伸縮性の連結体を挿入して連結する。例えば、このように連結体をＵ字状に折り曲げると、スチールワイヤーのような固い連結体でも、環の内径を縮めることができる。
【００３６】
図５（ｂ）の例では、相互に隣接する楔片３０が、その長手方向に見たとき、間欠的に連結されている。即ち、ある楔片３０とその隣の楔片３０が、その一端側に配置された連結体４２により連結されているとき、反対側に隣接する楔片３０とは、その長手方向に見たとき他端側に配置された連結体４２により連結されている。このように、隣接する楔片３０が交互に別々の場所で連結されていると、連結されていない部分の間隔が矢印Ｆの方向に簡単に縮むため、環全体の内径を縮めることができる。
【００３７】
図５（ｃ）の例は、図５（ｂ）の例の変形例で、連結体４２が楔片３０の一部とされている。例えば、硬質プラスチック樹脂の成型でこのような構成のものを一挙に環状に製造することができる。
【実施例４】
【００３８】
図６は楔片と連結体のさらに別の変形例で、（ａ）と（ｂ）は楔片の一例を示す側面図、（ｃ）と（ｄ）はその連結組み立て過程を示す展開図である。
この実施例では、図６（ａ）と（ｂ）に示すように、長さの異なる２種類の楔片を使用する。（ａ）の楔片は長楔５６と表現する。（ｂ）の楔片は短楔５８と表現する。いずれも、最も厚みのある部分に連結孔４０を設けている。短楔５８は、長楔５６の矢印Ｇの部分とその形状を一致させてある。
【００３９】
図６（ｃ）に示すように、これらの連結孔４０にワイヤー４６を通して連結する。ワイヤー４６は例えば、ステンレスワイヤーとする。その後、（ｃ）の図で見て全ての長楔５６と短楔５８の下端を揃えるように、ワイヤー４６を折り曲げる。図の（ｄ）が完成後の状態である。この状態で、全ての長楔５６と短楔５８の傾斜面が同一平面上に並ぶ。
【００４０】
その後、図の（ｄ）のものの両端のワイヤー４６を溶接等で連結して環状に仕上げる。即ち、ワイヤー４６が、それぞれ隣接する楔片について、その長手方向に見て異なる位置で楔片に固定されている状態になる。このようにすると、ワイヤー４６が比較的固い金属であっても、長楔５６や短楔５８に圧力が加わったとき、各楔片の間隔を伸縮するのに連結体であるワイヤー４６が邪魔にならないから、ワイヤー４６の部分で環の内径を縮めることができる。
【実施例５】
【００４１】
図７は、楔片と連結体のさらに別の変形例である。
この例では、丁度時計バンドのように楔片を連結する。傾斜面６８が楔片の役割を果たす。一方の側面に凸リンク６０が設けられている。他方の側面に凹リンク６２が設けられている。凸リンク６０にも凹リンク６２にも、図の矢印Ｈ方向に長い長軸孔６６が設けられている。各楔片は連結軸６４を長軸孔６６に通すことにより連結される。こうすれば、各楔片は、自由に環の内径を縮めることができる。即ち隣接する楔片が互いにその間隔を伸縮することができる連結構造を備えている。
【実施例６】
【００４２】
実施例１で説明した楔片３０は、それぞれワイヤー４６で連結されており、このワイヤー４６を軸にして自由に揺動する。従って、ホース２２の先端部２４をニップル１８に装着するときに、一部の楔片３０の端がホース２２の先端部２４に当たって装着作業を妨げる場合がある。この実施例では、ホース２２をニップル１８に装着する作業を簡便にする構造を提供する。
【００４３】
図８は、実施例６の楔片３０の例を示し、（ａ）は斜視図、（ｂ）は全体の概略断面図である。
図８（ａ）において、楔片３０には、そのほぼ中央に連結孔４０が設けられている。また、楔片３０の最も厚みのある部分に凹溝７０が設けられている。図８（ｂ）に示すように、連結孔４０にはワイヤー４６を挿入して、多数の楔片３０を環状に連結する。また、凹溝７０には、例えば、ゴムリングのようなバンド７２をはめ込む。
【００４４】
例えば、ワイヤー４６は外力を加えない状態ではこのまま環状の径を維持しているものとする。従って、楔片３０は環状のワイヤー４６を支点にしてシーソーのように揺動する。バンド７２は図８（ｂ）の状態で弾力によりその径を縮める方向に作用しているものとする。これにより、楔片３０の最も厚みの薄い側の先端が拡開する。なお、図１の（ｃ）に示すように楔片３０を締め付けナット２６で圧縮したときには、環状のワイヤー４６の部分も径を縮小することができる構造にする。
【００４５】
図９は実施例６の楔片３０を使用した場合の高耐圧管継ぎ手１２の組み立て方法説明図である。
図９（ａ）に示すように、まず、ホース２２の先端部２４をニップル１８の先端にあてがう。このとき、楔片３０は、バンド７２の弾力によって、最も厚みの薄い側の先端を持ち上げている。即ち、外力が加わらない状態で、ホース２２の先端部２４をそのまま受け入れ易い状態に、先端を揃えて拡開している。
【００４６】
図９（ａ）の状態からさらにホース２２の先端部２４を継ぎ手本体１４の方向に突き進めると、ワイヤー４６がニップル１８の凹凸面２０を取り囲むほぼ中央の位置に配置されているので、図９（ｂ）の状態で楔片３０がホース２２の外周面と平行に向きを変える。その後、ホース２２の先端部２４を最奥部まではめ込んで、締め付けナット２６を締めると、すでに説明したとおり、ホース２２を凹凸面２０に強く押しつけて高耐圧管継ぎ手１２が完成する。
【００４７】
以上のとおり、組み立て前は、楔片３０がその最も厚みの薄い側の先端を持ち上げて拡開しているので、ホース２２をニップル１８に装着する作業が非常に簡便になる。なお、楔片３０の先端を持ち上げて拡開しておくための構造は、上記のようなバンド７２を使用する構造に限定されない。ニップル１８の凹凸面２０を取り囲むいずれかの位置に、楔片３０を揺動させる支点を設けて、楔片３０全体の姿勢を上記の状態に揃える部材を任意の場所に設ければよい。弾力、摩擦力、接着力、磁力等を利用できる。ワイヤー４６の形状や連結孔４０の形状を調整して同様の機能を実現することもできる。
【符号の説明】
【００４８】
１２  高耐圧管継ぎ手
１４  継ぎ手本体
１６  雄ねじ部
１８  ニップル
２０  凹凸面
２１  凹部
２２  ホース
２４  先端部
２６  締め付けナット
２８  雌ねじ部
３０  楔片
３１  傾斜面
３２  テーパスリーブ
３８  オーリング
４０  連結孔
４２  連結体
４４  テーパ部
４６  ワイヤー
４８  縦長孔
５０  接着テープ
５２  連結部
５４  曲がりピン
５６  長楔
５８  短楔
６０  凸リンク
６２  凹リンク
６４  連結軸
６６  長軸孔
６８  傾斜面
７０  凹溝
７２  バンド
【図１】
2015068411.tif 000003
【図２】
2015068411.tif 000004
【図３】
2015068411.tif 000005
【図４】
2015068411.tif 000006
【図５】
2015068411.tif 000007
【図６】
2015068411.tif 000008
【図７】
2015068411.tif 000009
【図８】
2015068411.tif 000010
【図９】
2015068411.tif 000011